(57)【要約】【課題】複数種の液体を短時間で均一に混合できるようにする。【解決手段】混合器４０は、混合室Ｒ１を有する混合部４１と、混合部４１の上壁部４１ｂに設けられ第１の液体及び第２の液体を流入させるための流入管４３と、混合部４１の下壁部４１ｃに設けられた流出管４４とを備えている。流出管４４の上流側の開口部４４ａは、流入管４３の下流側の開口部４３ａよりも上方に位置している。【選択図】図３
2014184065.tif 000002
【特許請求の範囲】
【請求項１】
第１の液体と第２の液体とを混合させる混合器において、
上記混合器は、混合室を有する第１混合部と、該第１混合部の上壁部から該第１混合部内に突出するように設けられ、第１の液体及び第２の液体を該第１混合部に流入させるための流入管と、該第１混合部の下壁部から該第１混合部内に突出するように設けられ、該第１混合部内の液体を流出させるための第１流出管とを備え、
上記第１流出管の上流側の開口部は、上記流入管の下流側の開口部よりも上方に位置付けられていることを特徴とする混合器。
【請求項２】
請求項１に記載の混合器において、
上記混合器は、上記第１混合部よりも下方に設けられ、該第１混合部で混合した第１の液体及び第２の液体の混合液と、第３の液体とを混合させるための混合室を有する第２混合部を備え、上記第１流出管の下流側は、上記第２混合部の上壁部から該第２混合部内に突出しており、
上記混合器は、上記第１流出管の中途部に設けられ、第３の液体を該第１流出管に流入させる第２透析液原液供給管と、上記第２混合部の下壁部から該第２混合部内に突出するように設けられ、該第２混合部内の液体を流出させるための第２流出管とを備え、
上記第２流出管の上流側の開口部は、上記第１流出管の下流側の開口部よりも上方に位置付けられていることを特徴とする混合器。
【請求項３】
請求項１または２の発明において、
上記第１流出管の上流側の開口部は、上記第１混合部の水平方向中央部に配置され、
上記流入管の下流側の開口部は、上記第１流出管の上流側の開口部から上記水平方向に離れていることを特徴とする混合器。
【請求項４】
請求項２に記載の混合器において、
上記第１流出管の下流側の開口部は、上記第２混合部の水平方向中央部に配置され、
上記第２流出管の上流側の開口部は、上記第１流出管の下流側の開口部から上記水平方向に離れていることを特徴とする混合器。
【請求項５】
請求項１から４のいずれか１つに記載の混合器において、
上記第１の液体は水であり、上記第２の液体は透析液原液であることを特徴とする混合器。
【発明の詳細な説明】
【技術分野】
【０００１】
本発明は、複数種の液体を混合する混合器に関するものである。
【背景技術】
【０００２】
例えば、血液透析には透析液が使用される。透析液は、ＲＯ水に、透析液原液であるＡ原液及びＢ原液を一定の比率で混合することによって得られる。例えば、特許文献１に開示されている透析液供給装置では、Ａ原液用タンク及びＢ原液用タンクにそれぞれ貯留されているＡ原液及びＢ原液をミキシングチャンバに供給してＲＯ水と混合させるように構成されている。
【０００３】
また、種類の異なる流体を混合するための混合器としては、特許文献２に開示されているようなスタティックミキサーが知られている。スタティックミキサーは、ねじれ羽状攪拌体を流体の流路内に配設することによって構成されている。
【先行技術文献】
【特許文献】
【０００４】
【特許文献１】特許第３９７１６５９号公報
【特許文献２】特許第５０３６６２５号公報
【発明の概要】
【発明が解決しようとする課題】
【０００５】
ところで、特に透析液の場合は、患者の治療に使用するものであるため、Ａ原液やＢ原液をＲＯ水に均一に混合させておかなければならない。また、透析液以外の分野においても、複数種の液体を均一に混合させたいという要求がある。
【０００６】
そこで、複数種の液体を均一に混合するにあたり、例えばミキサー等を用いて長時間攪拌することが考えられるが、そのようにした場合には、均一に混合した液体を得るまでに時間を要するという問題がある。
【０００７】
また、特許文献２に開示されているようなスタティックミキサーを使用することが考えられるが、圧力損失が大きいという問題がある。また、スタティックミキサーを用いて均一に混合しようとした場合、攪拌体の数を増やす必要があり、その分、配管長が長くなるという問題もある。
【０００８】
さらに、透析液の場合、透析に使用する前に、濃度センサ等でＡ原液やＢ原液の濃度を測定してＡ原液やＢ原液が一定の比率で混合しているか否かを判定し、比率が常に一定となるようにＡ原液及びＢ原液の量を制御する必要がある。このとき、Ａ原液やＢ原液が均一に混合していないと、Ａ原液やＢ原液の濃度測定結果に信頼性がなく、ひいては一定の比率で混合できないことが考えられる。
【０００９】
本発明は、かかる点に鑑みてなされたものであり、その目的とするところは、複数種の液体を、圧力損失を抑え、かつ、コンパクトな配管を用いながら、短時間で均一に混合できるようにすることにある。
【課題を解決するための手段】
【００１０】
上記目的を達成するために、本発明では、液体の流れを混合室内で反転させることで乱し、これによって圧力損失を高めることなく混合を促進させるようにした。
【００１１】
第１の発明は、第１の液体と第２の液体とを混合させる混合器において、
上記混合器は、混合室を有する第１混合部と、該第１混合部の上壁部から該第１混合部内に突出するように設けられ、第１の液体及び第２の液体を該第１混合部に流入させるための流入管と、該第１混合部の下壁部から該第１混合部内に突出するように設けられ、該第１混合部内の液体を流出させるための第１流出管とを備え、
上記第１流出管の上流側の開口部は、上記流入管の下流側の開口部よりも上方に位置付けられていることを特徴としている。
【００１２】
この構成によれば、第１の液体及び第２の液体が流入管から第１混合部に流入する。このとき、流入管が第１混合部の上壁部から突出しているので、第１の液体及び第２の液体の流れは下方へ向かう流れとなる。そして、第１流出管が第１混合部の下壁部から突出していて、第１流出管の開口部が流入管の開口部よりも上方に位置しているので、第１の液体及び第２の液体は第１混合部内で上方に向かう流れとなる。このように第１混合部内で第１の液体及び第２の液体の流れの方向が正反対になることで、流れに乱れが生じ、これにより、第１の液体及び第２の液体の混合が第１混合部内で促進される。
【００１３】
従って、ねじれ羽状攪拌体を用いることなく第１の液体及び第２の液体を良好に混合することが可能になるので、スタティックミキサーに比べて圧力損失が少なくなるとともに、配管長も短くて済み、コンパクトになる。特に、液体を重力で落下させる場合に本発明の混合器を使用すると、圧力損失が少ないという利点がより一層顕著なものとなり、大流量を確保することも可能になる。
【００１４】
第２の発明は、第１の発明において、
上記混合器は、上記第１混合部よりも下方に設けられ、該第１混合部で混合した第１の液体及び第２の液体の混合液と、第３の液体とを混合させるための混合室を有する第２混合部を備え、上記第１流出管の下流側は、上記第２混合部の上壁部から該第２混合部内に突出しており、
上記混合器は、上記第１流出管の中途部に設けられ、第３の液体を該第１流出管に流入させる第２透析液原液供給管と、上記第２混合部の下壁部から該第２混合部内に突出するように設けられ、該第２混合部内の液体を流出させるための第２流出管とを備え、
上記第２流出管の上流側の開口部は、上記第１流出管の下流側の開口部よりも上方に位置付けられていることを特徴としている。
【００１５】
この構成によれば、第３の液体が第１流出管に流入する。第１流出管が第２混合部の上壁部から突出しているので、第１流出管から流出した第１の液体及び第２の液体の混合液と第３の液体の流れは下方へ向かう流れとなる。そして、第２流出管が第２混合部の下壁部から突出していて、第２流出管の開口部が第１流出管の開口部よりも上方に位置しているので、第１の液体及び第２の液体の混合液と第３の液体は第２混合部内で上方に向かう流れとなる。このように第２混合部内で第１〜第３の液体の流れの方向が反転することで、流れに乱れが生じ、これにより、第１の液体及び第２の液体の混合液と、第３の液体との混合が第２混合部内で促進される。
【００１６】
第３の発明は、第１または２の発明において、
上記第１流出管の上流側の開口部は、上記第１混合部の水平方向中央部に配置され、
上記流入管の下流側の開口部は、上記第１流出管の上流側の開口部から上記水平方向に離れていることを特徴としている。
【００１７】
この構成によれば、第１混合部の混合室内において、流入管の開口部から流入した第１の液体及び第２の液体の流れが第１混合部の中央部に向かう流れに変換される。これにより、流れがより一層乱れるので、第１の液体及び第２の液体の混合がより一層促進される。
【００１８】
第４の発明は、第２の発明において、
上記第１流出管の下流側の開口部は、上記第２混合部の水平方向中央部に配置され、
上記第２流出管の上流側の開口部は、上記第１流出管の下流側の開口部から上記水平方向に離れていることを特徴としている。
【００１９】
この構成によれば、第２混合部の混合室内に流入した第１〜第３の液体の流れが第２混合部の中央部から側部に向かう流れに変換される。これにより、流れがより一層乱れるので、第１〜第３の液体の混合がより一層促進される。
【００２０】
第５の発明は、第１から４のいずれか１つの発明において、
上記第１の液体は水であり、上記第２の液体は透析液原液であることを特徴としている。
【００２１】
この構成によれば、透析液原液が短時間で水に均一に混合するので、大量の透析液を短時間に生成することが可能になる。
【発明の効果】
【００２２】
第１の発明によれば、第１の液体と第２の液体の流れを第１混合部の混合室内で上下反転させて乱した後、混合室から流出させるようにしている。これにより、複数種の液体を、圧力損失を抑え、かつ、コンパクトな配管を用いながら、短時間で均一に混合できる。
【００２３】
第２の発明によれば、少なくとも３種類の液体を短時間に均一に混合させることができる。
【００２４】
第３の発明によれば、第１の液体及び第２の液体の流れが第１混合部の水平方向中央部に向かう流れとなるので、第１の液体及び第２の液体の混合をより一層促進させることができる。
【００２５】
第４の発明によれば、第１〜第３の液体の流れが第２混合部の中央部から側部に向かう流れとなるので、第１〜第３の液体の混合をより一層促進させることができる。
【００２６】
第５の発明によれば、第１の液体を水とし、第２の液体を透析液原液とすることで、大量の透析液を短時間に生成することができる。
【図面の簡単な説明】
【００２７】
【図１】本発明の実施形態に係る混合器を備えた透析液供給装置を使用して構築された血液透析システムの概略構成図である。
【図２】透析液供給装置のブロック図である。
【図３】混合器の縦断面図である。
【図４】混合器の平面図である。
【図５】透析液生成運転モードにある場合の図１相当図である。
【図６】前洗浄（水洗）運転モードにある場合の透析液供給装置の概略構成図である。
【図７】主ライン消毒運転モードにある場合の透析液供給装置の概略構成図である。
【図８】主ライン酸洗浄運転モードにある場合の透析液供給装置の概略構成図である。
【図９】薬液ライン消毒運転モードにある場合の透析液供給装置の概略構成図である。
【図１０】薬液ライン酸洗浄運転モードにある場合の透析液供給装置の概略構成図である。
【図１１】後洗浄・排出運転モードの主ライン排出動作中の透析液供給装置の概略構成図である。
【図１２】後洗浄・排出運転モードの薬液ライン空気置換動作中の透析液供給装置の概略構成図である。
【図１３】後洗浄・排出運転モードのタンク及び薬液ライン空気置換動作中の透析液供給装置の概略構成図である。
【発明を実施するための形態】
【００２８】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２９】
図１は、本発明の実施形態に係る混合器４０を備えた透析液供給装置１の概略構成を示す図である。この透析液供給装置１は、ＲＯ装置１００及び透析用監視装置（コンソール）１０１，１０１,…と共に血液透析システムＡを構成している。血液透析システムＡは、例えば、透析センター、透析クリニック、大規模な病院等に導入される。
【００３０】
透析液供給装置１は、多数の透析用監視装置１０１に透析液を同時に供給することができるものである。透析用監視装置１０１は、図示しないが、血液ポンプやダイアライザー等を備えた従来周知のものであり、患者1人につき１台が使用されて血液透析治療を行うことができるように構成されている。また、透析用監視装置１０１は血液透析室に設置される。
【００３１】
ＲＯ装置１００は、ＲＯ水を精製できるものであれば特に限定されるものではなく、従来一般に構築されてきた血液透析システムにおいて使用されるＲＯ装置を用いることができる。例えば、水道水に含まれる不純物を逆浸透法で除去することによりＲＯ水を精製する装置である。このＲＯ装置１００は、透析液供給装置１と共に機械室等に設置される。
【００３２】
透析液供給装置１は、透析液原液としてのＡ原液とＢ原液を一定の混合割合でＲＯ水に混合して透析液を生成し、この生成した透析液を各透析用監視装置１０１に供給するように構成されている。
【００３３】
透析液供給装置１は、大気開放された給水タンク（水タンク）１０と、主ラインＬ１と、薬液ラインＬ２と、給水ラインＬ３と、給水ポンプＰ１と、薬液ラインポンプＰ２とを備えている。
【００３４】
給水タンク１０は、床面を基準として約１．５ｍ〜２．０ｍ程度の所定高さに配置されている。給水タンク１０の内部には、仕切壁１１が設けられている。この仕切壁１１により、給水タンク１０の内部は、ＲＯ水の水位を一定水位に保つための定水位部１０ａと、定水位部１０ａからオーバーフローしたＲＯ水を受ける貯留部１０ｂとに仕切られている。また、給水タンク１０の上部には、ＲＯ水の排出管部１２が設けられている。さらに、給水タンク１０の内部には、図示しないが、水位を検出するための水位センサも設けられている。
【００３５】
主ラインＬ１は、ＲＯ装置１００の吐出部に接続されて給水タンク１０に至る配管で構成されている。主ラインＬ１の上流端部には、透析液供給装置１の構成要素である遮断バルブＶ１が設けられている。この遮断バルブＶ１は、透析液供給装置１が有する制御装置２０によって開閉制御される電動タイプのものであり、開状態ではＲＯ装置１００の吐出部と主ラインＬ１とが連通状態になる一方、閉状態ではＲＯ装置１００の吐出部と主ラインＬ１との連通を遮断するようになっている。
【００３６】
主ラインＬ１の中途部は、第１分岐ラインＬ１１と、第２分岐ラインＬ１２とに分岐している。第１分岐ラインＬ１１は、給水タンク１０の貯留部１０ｂに接続されている。第２分岐ラインＬ１２は、給水タンク１０の貯留部１０ｂにおいて第１分岐ラインＬ１１の接続部位から離れた部位に接続されている。従って、給水タンク１０には、ＲＯ水が第１分岐ラインＬ１１及び第２分岐ラインＬ１２から流入する。
【００３７】
第２分岐ラインＬ１２の中途部には、透析液供給装置１の構成要素である脱気ポンプＰ３が設けられている。この脱気ポンプＰ３は、制御装置２０により制御される。尚、脱気ポンプＰ３は省略してもよい。
【００３８】
また、主ラインＬ１の第２分岐ラインＬ１２には、排水ラインＬ１３が接続されている。この排水ラインＬ１３は、給水タンク１０及び主ラインＬ１内のＲＯ水、消毒液、酸洗浄液を排水するためのものである。排水ラインＬ１３には、透析液供給装置１の構成要素である排水バルブＶ２が設けられている。この排水バルブＶ２は、遮断バルブＶ１と同様に制御装置２０によって開閉制御され、開状態では排水状態になる一方、閉状態では排水を停止するようになっている。
【００３９】
主ラインＬ１は、給水タンク１０の貯留部１０ｂ内の液体を定水位部１０ａに送給するための送給ラインＬ１４も有している。送給ラインＬ１４の中途部には、給水ポンプＰ１が設けられている。給水ポンプＰ１は、制御装置２０により制御される。
【００４０】
薬液ラインＬ２は、主ラインＬ１の遮断バルブＶ１よりも下流側で、かつ、第１分岐ラインＬ１１及び第２分岐ラインＬ１２の分岐部よりも上流側に接続され、送給ラインＬ１４に至る配管で構成されている。薬液ラインＬ２の上流端部には、透析液供給装置１の構成要素である第１薬液ラインバルブＶ３が設けられている。第１薬液ラインバルブＶ３は、遮断バルブＶ１と同様に制御装置２０によって開閉制御され、開状態では薬液ラインＬ２の上流端と主ラインＬ１とが連通状態になる一方、閉状態では薬液ラインＬ２の上流端と主ラインＬ１との連通を遮断するようになっている。
【００４１】
薬液ラインＬ２の下流端部には、透析液供給装置１の構成要素である第２薬液ラインバルブＶ４が設けられている。第２薬液ラインバルブＶ４は、遮断バルブＶ１と同様に制御装置２０によって開閉制御され、開状態では薬液ラインＬ２の下流端と主ラインＬ１とが連通状態になる一方、閉状態では薬液ラインＬ２の下流端と主ラインＬ１との連通を遮断するようになっている。
【００４２】
薬液ラインＬ２は、消毒液ラインＬ２１と酸洗浄液ラインＬ２２とを有している。消毒液ラインＬ２１は、薬液ラインＬ２における第１薬液ラインバルブＶ３よりも下流側から分岐している。消毒液ラインＬ２１の上流端部には、透析液供給装置１の構成要素である消毒液タンク３１が接続されている。消毒液タンク３１には、例えば次亜塩素酸ナトリウム等の薬液（消毒液）が貯留されている。消毒液はこれに限られるものではなく、各種消毒液を使用することができる。
【００４３】
消毒液ラインＬ２１の下流端部には、透析液供給装置１の構成要素である消毒液タンクバルブＶ５が設けられている。消毒液タンクバルブＶ５は、遮断バルブＶ１と同様に制御装置２０によって開閉制御され、開状態では消毒液ラインＬ２１の下流端が開放される一方、閉状態では消毒液ラインＬ２１の下流端が閉塞されるようになっている。
【００４４】
消毒液ラインＬ２１には、透析液供給装置１の構成要素である消毒液ライン検出センサＳ１が設けられている。この消毒液ライン検出センサＳ１は、消毒液ラインＬ２１の内部に空気が存在しているか否かを検出するためのものであり、周知のセンサを用いて構成することができる。すなわち、消毒液ラインＬ２１の内部に空気が存在している場合には、消毒液ラインＬ２１の内部に消毒液が存在しておらず、一方、消毒液ラインＬ２１の内部に空気が存在していない場合には消毒液が存在しているとする。消毒液ライン検出センサＳ１は、制御装置２０に接続されており、検出結果を出力する。
【００４５】
酸洗浄液ラインＬ２２は、薬液ラインＬ２における消毒液ラインＬ２１よりも下流側から分岐している。酸洗浄液ラインＬ２２の上流端部には、透析液供給装置１の構成要素である酸洗浄液タンク３２が接続されている。酸洗浄液タンク３２には、例えば酢酸等の薬液（酸洗浄液）が貯留されている。酸洗浄液はこれに限られるものではなく、各種酸洗浄液を使用することができる。
【００４６】
酸洗浄液ラインＬ２２の下流端部には、透析液供給装置１の構成要素である酸洗浄液タンクバルブＶ６が設けられている。酸洗浄液タンクバルブＶ６は、遮断バルブＶ１と同様に制御装置２０によって開閉制御され、開状態では酸洗浄液ラインＬ２２の下流端が開放される一方、閉状態では酸洗浄液ラインＬ２２の下流端が閉塞されるようになっている。
【００４７】
酸洗浄液ラインＬ２２には、透析液供給装置１の構成要素である酸洗浄液ライン検出センサＳ２が設けられている。この酸洗浄液ライン検出センサＳ２は、酸洗浄液ラインＬ２２の内部に空気が存在しているか否かを検出するためのものであり、消毒液ライン検出センサＳ１と同様に周知のセンサを用いて構成することができる。酸洗浄液ライン検出センサＳ２は、制御装置２０に接続されており、検出結果を出力する。
【００４８】
給水ラインＬ３は、透析液供給装置１が有する混合器４０にＲＯ水を供給するためのラインであり、給水タンク１０の定水位部１０ａに接続されて混合器４０に至る配管で構成されている。給水ラインＬ３の上流端部には、透析液供給装置１の構成要素である給水バルブＶ７が設けられている。給水バルブＶ７は、遮断バルブＶ１と同様に制御装置２０によって開閉制御され、開状態では給水ラインＬ３の上流端が開放される一方、閉状態では給水ラインＬ３の上流端が閉塞されるようになっている。給水ラインＬ３の給水バルブＶ７よりも下流側には、流量計３３が設けられている。流量計３３は、制御装置２０に接続されており、検出結果を出力する。
【００４９】
給水ラインＬ３の下流側は、第１給水ラインＬ３１と第２給水ラインＬ３２とに分岐している。第１給水ラインＬ３１と第２給水ラインＬ３２とが混合器４０に接続されている。
【００５０】
透析液供給装置１は、Ａ原液を貯留するＡ原液タンク（第２透析液原液供給手段）３５と、Ｂ原液を貯留するＢ原液タンク（第１透析液原液供給手段）３６を有している。Ａ原液タンク３５には、Ａ原液として、例えば、塩化ナトリウム、塩化カリウム、塩化カルシウム、塩化マグネシウム、無水酢酸ナトリウム、ブドウ糖等を含有する薬液がＲＯ水の供給によって所定濃度となるまで薄められた状態で貯留されている。このＡ原液タンク３５としては、上記成分を粉末状とした粉末剤をＲＯ水で溶解してＡ原液を得るように構成された粉末型透析液原液溶解装置を用いることができる。
【００５１】
Ａ原液タンク３５よりも下流側のラインには、透析液供給装置１の構成要素であるＡ原液注入ポンプＰ４が設けられている。Ａ原液注入ポンプＰ４は、例えば定流量ポンプで構成することができ、制御装置２０によって制御され、Ａ原液タンク３５のＡ原液を任意の流量で混合器４０に供給することができるようになっている。
【００５２】
Ｂ原液タンク３６には、Ｂ原液として、例えば、炭酸水素ナトリウム等を含有する薬液がＲＯ水の供給によって所定濃度となるまで薄められた状態で貯留されている。このＢ原液タンク３６としては、上記粉末型透析液原液溶解装置を用いることができる。
【００５３】
Ｂ原液タンク３６よりも下流側のラインには、透析液供給装置１の構成要素であるＢ原液注入ポンプＰ５が設けられている。Ｂ原液注入ポンプＰ５は、例えば定流量ポンプで構成することができ、制御装置２０によって制御され、Ｂ原液タンク３６のＢ原液を任意の流量で混合器４０に供給することができるようになっている。
【００５４】
Ａ原液注入ポンプＰ４及びＢ原液注入ポンプＰ５は、例えば、１Ｌ／ｍｉｎ前後の小型ポンプを用いることができる。
【００５５】
混合器４０は、給水タンク１０よりも下方に配置され、図３に示すように全体として上下方向に延びる筒状をなしている。そして、混合器４０は、給水タンク１０から落差圧によって供給されたＲＯ水にＡ原液及びＢ原液を均一に混合することができるように構成されている。
【００５６】
すなわち、混合器４０は、ＲＯ水（第１の液体）とＢ原液（第２の液体）とを混合させるための上側混合部（第１混合部）４１と、上側混合部４１で混合した水及びＢ原液と、Ａ原液（第３の液体）とを混合させるための下側混合部（第２混合部）４２と、上側混合部４１に液体を流入させるための一対の流入管４３，４３と、上側混合部４１内の液体を流出させるための第１流出管４４と、一対のＡ原液透析液原液供給管４５，４５と、下側混合部４２内の液体を流出させるための一対の第２流出管４６，４６とを備えている。
【００５７】
上側混合部４１は、上下方向に延びる円筒状に形成された周壁部４１ａと、周壁部４１ａの上端部に設けられる上壁部４１ｂと、周壁部４１ａの下端部に設けられる下壁部４１ｃとを有しており、内部には、上側混合室Ｒ１が区画形成されている。上側混合室Ｒ１は、ＲＯ水とＢ原液とを混合させるためのチャンバーとなる。
【００５８】
流入管４３，４３は、上側混合部４１の上壁部４１ｂから上側混合部４１内に突出するように略上下方向に延びて設けられ、水及びＢ原液を上側混合部４１に流入させるためのものである。図４にも示すように、流入管４３，４３は、上側混合部４１の径方向中心部から外方に離れており、周壁部４１ａ近傍に位置している。これら流入管４３，４３は、互いに上側混合部４１の径方向中心部を対称の中心とした点対称の位置関係となるように配置されている。また、流入管４３，４３の下端開口部（下流側の開口部）４３ａ，４３ａは、下壁部４１ｃ近傍に位置している。
【００５９】
流入管４３は、１つであってもよいし、３つ以上であってもよい。３つ以上の場合は、上側混合部４１の周方向に略等間隔に配置してもよいし、不等間隔に配置してもよい。また、流入管４３を複数設ける場合には、互いに径が異なっていてもよいし、同径であってもよい。
【００６０】
第１流出管４４は、上側混合部４１の下壁部４１ｃから該上側混合部４１内に突出するように設けられ、下方へ延びている。第１流出管４４は、流入管４３，４３よりも大径であり、上側混合部４１の径方向中心部に配置されている。第１流出管４４の上端開口部（上流側の開口部）４４ａは、上壁部４１ｂ近傍に位置している。つまり、第１流出管４４の上端開口部４４ａは、流入管４３，４３の下端開口部４３ａ，４３ａよりも上方に位置付けられている。
【００６１】
上側混合部４１の上壁部４１ｂには、透析液供給装置１の構成要素である上流側濃度センサＳ３が接続される上流側配管４８が設けられている。この上流側配管４８は、上側混合室Ｒ１に連通しており、上側混合室Ｒ１内の液体を上流側濃度センサＳ３まで導くことができる。上流側濃度センサＳ３は、Ｂ原液のＲＯ水に対する混合比率を略リアルタイムで測定することができるものであり、従来周知のものである。上流側濃度センサＳ３は、制御装置２０に接続されており、検出結果を出力する。
【００６２】
上流側濃度センサＳ３の配設位置は、測定対象である上側混合室Ｒ１内の混合液体の流れが、上方、かつ、中央部に向かっているので、上側混合室Ｒ１の上部、かつ、略中央部が好ましいが、これに限られるものではなく、例えば上側混合室Ｒ１の側部や下部であってもよい。
【００６３】
第１流出管４４の上下方向中央部近傍には、Ａ原液供給管４５，４５が設けられている。Ａ原液供給管４５，４５は、第１流出管４４の径方向（水平方向）に延びており、第１流出管４４の内部に連通している。Ａ原液供給管４５，４５は、第１流出管４４の周方向に約１８０゜離れて設けられている。よって、Ａ原液供給管４５，４５から第１流出管４４に流入するＡ原液は、互いに衝突する方向である。
【００６４】
Ａ原液供給管４５は、１つであってもよいし、３つ以上であってもよい。３つ以上の場合は、第１流出管４４の周方向に略等間隔に配置してもよいし、不等間隔に配置してもよい。また、Ａ原液供給管４５を複数設ける場合には、互いに径が異なっていてもよいし、同径であってもよい。
【００６５】
下側混合部４２は、上下方向に延びる円筒状に形成された周壁部４２ａと、周壁部４２ａの上端部に設けられる上壁部４２ｂと、周壁部４２ａの下端部に設けられる下壁部４２ｃとを有しており、内部には、下側混合室Ｒ２が区画形成されている。下側混合室Ｒ２は、ＲＯ水及びＢ原液の混合液とＡ原液とを混合させるためのチャンバーとなる。
【００６６】
第１流出管４４の下端部（下流側）は、下側混合部４２の上壁部４２ｂから下側混合部４２内に突出している。第１流出管４４の下端開口部（下流側の開口部）４４ｂは、下側混合部４２の下壁部４２ｃ近傍に位置している。
【００６７】
第１流出管４４の内部には、該第１流出管４４を流通する液体に乱流を発生させる乱流生成部材（図示せず）を設けてもよい。
【００６８】
第２流出管４６，４６は、下側混合部４２の下壁部４２ｃから下側混合部４２内に突出するように略上下方向に延びて設けられ、下側混合部４２内の液体（生成された透析液）を下側混合部４２から流出させるためのものである。第２流出管４６，４６は、下側混合部４２の径方向中心部から外方に離れており、周壁部４２ａ近傍に位置している。これら第２流出管４６，４６は、互いに下側混合部４２の径方向中心部を対称の中心とした点対称の位置関係となるように配置されている。また、第２流出管４６，４６の上端開口部（上流側の開口部）４６ａ，４６ａは、上壁部４２ｂ近傍に位置している。つまり、第２流出管４６，４６の上端開口部４６ａ，４６ａは、第１流出管４４の下流側の開口部４４ｂよりも上方に位置付けられている。
【００６９】
下側混合部４２の上壁部４２ｂには、透析液供給装置１の構成要素である下流側濃度センサＳ４が接続される下流側配管４９が設けられている。この下流側配管４９は、下側混合室Ｒ２に連通しており、下側混合室Ｒ２内の液体を下流側濃度センサＳ４まで導くことができる。下流側濃度センサＳ４は、Ａ原液のＲＯ水に対する混合比率を略リアルタイムで測定することができるものであり、従来周知のものである。下流側濃度センサＳ４は、制御装置２０に接続されており、検出結果を出力する。
【００７０】
下流側濃度センサＳ４の配設位置は、測定対象である下側混合室Ｒ２内の混合液体の流れが、上方、かつ、側部に向かっているので、下側混合室Ｒ２の上部、かつ、側部が好ましいが、これに限られるものではなく、例えば下側混合室Ｒ２の下部や中央部であってもよい。
【００７１】
第２流出管４６，４６の下端部には、透析液供給装置１の構成要素である透析液供給ラインＬ５が接続されている。図１に示すように、透析液供給ラインＬ５は、透析液供給装置１の構成要素である透析液タンク３８に接続されており、生成された透析液は透析液タンク３８に一旦貯留されるようになっている。透析液タンク３８には、各透析用監視装置１０１，１０１,…まで延びる透析液配管が接続されている。また、透析液タンク３８には液量検出センサ（図示せず）が設けられており、検出結果が制御装置２０に出力されるようになっている。
【００７２】
透析液供給装置１は、透析液タンク３８の透析液を透析用監視装置１０１に供給するための送液ポンプ３９を備えている。この送液ポンプ３９は、一般的な送液ポンプで構成することができる。
【００７３】
また、図２に示すように透析液供給装置１は、報知器Ｈを有している。この報知器Ｈは、制御装置２０により制御されて音声や光を発生させることによって周囲の者に所定の情報を報知することができるように構成されており、例えばスピーカーやランプ、表示画面等である。この報知器Ｈは、詳細は後述するが主ライン消毒運転モード及び薬液ライン消毒運転モードで運転中に消毒液タンク３１の消毒液が空になった場合、主ライン酸洗浄運転モード及び薬液ライン酸洗浄運転モードで運転中に酸洗浄液タンク３２の酸洗浄液が空になった場合、消毒液タンク３１が空の場合、酸洗浄液タンク３２が空になった場合に、その旨を報知する。
【００７４】
上記制御装置２０は、所定のプログラムに従って動作するマイクロコンピュータ等で構成されたものであり、操作者が操作するボタン等が接続されている。制御装置２０は、各センサＳ１〜Ｓ４等から入力される信号、及び操作者によるボタン操作を検出し、これらに基づいて、ポンプＰ１〜Ｐ７及びバルブＶ１〜Ｖ６を制御する。
具体的には、制御装置２０は、上流側濃度センサＳ３の検出結果に基づいてＢ原液注入ポンプＰ５を制御してＢ原液の注入量を調整して一定の混合比率とし、また、下流側濃度センサＳ４の検出結果に基づいてＡ原液注入ポンプＰ４を制御してＡ原液の注入量を調整して一定の混合比率とするように構成されている。Ａ原液及びＢ原液の注入量の調整は、周知のフィードバック制御で行われる。
【００７５】
上記制御装置２０は、透析液供給装置１の運転モードを、図５に示す透析液生成運転モードと、図６に示す前洗浄（水洗）運転モードと、図７に示す主ライン消毒運転モード（消毒液洗浄運転モード）と、図８に示す主ライン酸洗浄運転モード（酸洗浄運転モード）と、図９に示す薬液ライン消毒運転モード（消毒液洗浄運転モード）と、図１０に示す薬液ライン酸洗浄運転モード（酸洗浄運転モード）と、図１１〜図１３に示す後洗浄・排出運転モードとに切り替えて運転する。後洗浄・排出運転モードでは、図１１に示す主ライン排出動作と、図１２に示す薬液ライン空気置換動作と、図１３に示すタンク及び薬液ライン空気置換動作とがある。
【００７６】
図５に示す透析液生成運転モードでは、制御装置２０は、遮断バルブＶ１及び給水バルブＶ７は開状態にし、排水バルブＶ２、第１薬液ラインバルブＶ３、第２薬液ラインバルブＶ４は閉状態にする。また、給水ポンプＰ１、脱気ポンプＰ３、Ａ原液注入ポンプＰ４、Ｂ原液注入ポンプＰ５を作動させる。
【００７７】
ＲＯ装置１００から供給されたＲＯ水は、主ラインＬ１を通って給水タンク１０の貯留部１０ｂに流入する。貯留部１０ｂのＲＯ水は、送給ラインＬ１４により定水位部１０ａに流入する。定水位部１０ａのＲＯ水は、給水ラインＬ３の第１給水ラインＬ３１と第２給水ラインＬ３２から混合器４０に流入する。
【００７８】
一方、Ａ原液タンク３５及びＢ原液タンク３６内で所定濃度のＡ原液及びＢ原液を得る。
【００７９】
Ａ原液タンク３５のＡ原液はＡ原液注入ポンプＰ４により混合器４０に送られる。図３に示すように、Ａ原液は、混合器４０の第１流出管４４に対し、Ａ原液供給管４５，４５から流入する。
【００８０】
また、図５に示すように、Ｂ原液タンク３６のＢ原液はＢ原液注入ポンプＰ５により混合器４０に送られる。Ｂ原液は、混合器４０に直接流入させずに、給水ラインＬ３の第１給水ラインＬ３１と第２給水ラインＬ３２の分岐部よりも上流側に流入する。従って、図３に示すように、ＲＯ水とＢ原液は、混合器４０の上側混合室Ｒ１に流入管４３，４３から流入する。
【００８１】
すなわち、混合器４０では、ＲＯ水とＢ原液が上から下に流れながら上側混合室Ｒ１の下部に流入することになる。第１流出管４４の上端開口部４４ａは、流入管４３，４３の下端開口部４３ａ，４３ａよりも上方に位置しているので、上側混合室Ｒ１に流入したＲＯ水とＢ原液は、上側混合室Ｒ１の上側に向けて流れを変える。このように、上側混合室Ｒ１内でＲＯ水とＢ原液の流れが上下反転することで、流れに乱れが生じ、これにより、ＲＯ水とＢ原液の混合が上側混合室Ｒ１内で促進される。さらに、流入管４３，４３の下端開口部４３ａ，４３ａは、上側混合室Ｒ１の外周寄りに位置する一方、第１流出管４４の上端開口部４４ａは上側混合室Ｒ１の中央部に位置しているので、ＲＯ水とＢ原液の流れは上側混合室Ｒ１の外周寄りの部位から中心部に向かう流れとなり、このことによっても流れに乱れが生じて混合が促進される。
【００８２】
以上のようにしてＲＯ水とＢ原液が上側混合室Ｒ１内で均一に混合する。上側混合室Ｒ１内におけるＢ原液のＲＯ水に対する混合比率は、上側混合室Ｒ１に連通する上流側配管４８を介して上流側濃度センサＳ３によって検出される。制御装置２０は、上流側濃度センサＳ３によって検出された混合比率に基づいてＢ原液注入ポンプＰ５を制御し、Ｂ原液のＲＯ水に対する混合比率が一定の比率となるようにフィードバック制御する。
【００８３】
上側混合室Ｒ１内のＲＯ水とＢ原液が混合した液体は、第１流出管４４を上から下に流れる。このときに、Ａ原液が第１流出管４４の外周部から供給されて第１流出管４４内の液体に混ざる。
【００８４】
Ａ原液と、ＲＯ水及びＢ原液が混合した液体とは、下側混合室Ｒ２内に上から下に向けて流入することになる。第２流出管４６，４６の上端開口部４６ａ，４６ａは、第１流出管４４の下流側の開口部４４ｂよりも上方に位置しているので、下側混合室Ｒ２に流入したＡ原液と、ＲＯ水及びＢ原液が混合した液体とは、下側混合室Ｒ２の上側に向けて流れを変える。このように、下側混合室Ｒ２内で流れが上下反転することで、流れに乱れが生じ、これにより、Ａ原液と、ＲＯ水及びＢ原液が混合した液体との混合が下側混合室Ｒ２内で促進される。さらに、第２流出管４６，４６の上端開口部４６ａ，４６ａは、下側混合室Ｒ２の外周寄りに位置する一方、第１流出管４４の下端開口部４４ｂは下側混合室Ｒ２の中央部に位置しているので、下側混合室Ｒ２の流れは中央部から側部に向かう流れとなり、このことによっても流れに乱れが生じて混合が促進される。
【００８５】
以上のようにして、Ａ原液と、ＲＯ水及びＢ原液が混合した液体とが下側混合室Ｒ２内で均一に混合して透析液となる。下側混合室Ｒ２内におけるＡ原液のＲＯ水に対する混合比率は、下側混合室Ｒ２に連通する下流側配管４９を介して下流側濃度センサＳ４によって検出される。制御装置２０は、下流側濃度センサＳ４によって検出された混合比率に基づいてＡ原液注入ポンプＰ４を制御し、Ａ原液のＲＯ水に対する混合比率が一定の比率となるようにフィードバック制御する。尚、Ａ原液及びＢ原液のフィードバック制御は従来周知の手法を用いて行うことができるので、詳細な説明は省略する。
【００８６】
混合器４０で生成された透析液は、透析液供給ラインＬ５を介して透析液タンク３８に一旦貯留され、この透析液タンク３８から送液ポンプ３９によって透析用監視装置１０１，１０１，…に供給される。
【００８７】
透析液の生成時には、給水タンク１０を落差圧が得られる所定高さに配置し、この給水タンク１０から混合器４０にＲＯ水を供給してＡ原液とＢ原液を混合するようにしているので、安定した濃度の透析液を容易に、かつ、大量に生成することができる。落差圧による供給なので、最大供給量を容易に増大させることが可能である。さらに、透析用監視装置１０１，１０１，…での透析液の使用量が少なくなれば、透析液タンク３８内の透析液の量が増加することになる。一定量以上になると、給水バルブＶ７を閉状態にするとともに、Ａ原液注入ポンプＰ４及びＢ原液注入ポンプＰ５を停止させる。従って、透析液の供給量を制御するための流量制御弁は必要なく、制御も容易に行える。
【００８８】
また、Ａ原液に比べて成分の少ないＢ原液をＡ原液よりも先にＲＯ水に混合するようにしているので、濃度測定の精度を高めることができ、ひいてはフィードバック制御を高精度に行うことができる。
【００８９】
また、Ａ原液とＢ原液との混合箇所がＲＯ水の流れ方向に離れているので、Ｂ原液を混合した後にＡ原液を混合する前に、Ｂ原液の水に対する混合比率を測定することが可能になる。よって、Ｂ原液の混合比率の正確な制御が行えるようになる。また、Ｂ原液の混合比率の測定結果を得た後に、Ａ原液を混合することで、Ａ原液の混合比率を測定することが可能になる。よって、Ａ原液の混合比率も正確に制御することが可能になる。
【００９０】
また、透析液供給装置１による透析液の生成量は、毎分３５リットル以上である。これは、落差圧を利用して各配管を太くし、さらに、混合器４０を、羽状攪拌体の無い低圧力損失のミキサーとしたことで可能となっている。このため、１台の透析液供給装置１によって多数の透析用監視装置１０１に透析液を供給することができるので、透析液供給装置１の設置台数が少なくて済むという利点がある。
【００９１】
次に、図６に示す前洗浄（水洗）運転モードについて説明する。この前洗浄（水洗）運転モードは、主ラインＬ１をＲＯ水で洗浄するモードである。制御装置２０は、遮断バルブＶ１、第１薬液ラインバルブＶ３、第２薬液ラインバルブＶ４は開状態にし、排水バルブＶ２、消毒液タンクバルブＶ５、酸洗浄液タンクバルブＶ６、給水バルブＶ７は閉状態にする。また、給水ポンプＰ１、薬液ラインポンプＰ２、脱気ポンプＰ３を作動させる。これにより、ＲＯ水による洗浄が行われる。このときＲＯ水は、給水タンク１０にも供給されるので、給水タンク１０の洗浄も可能である。図６中、太線はＲＯ水が充填された部分を示している。
【００９２】
次に、図７に示す主ライン消毒運転モードについて説明する。この主ライン消毒運転モードは、主ラインＬ１を消毒液で消毒するモードであり、基本的には１日に１回、透析が終了した後に行う。
【００９３】
主ライン消毒運転モードでは、制御装置２０は、遮断バルブＶ１、第１薬液ラインバルブＶ３、第２薬液ラインバルブＶ４、消毒液タンクバルブＶ５は開状態にし、排水バルブＶ２、酸洗浄液タンクバルブＶ６、給水バルブＶ７は閉状態にする。また、給水ポンプＰ１、薬液ラインポンプＰ２、脱気ポンプＰ３を作動させる。これにより、消毒液タンク３１の消毒液が消毒液ラインＬ２１から吸い上げられて各ラインが消毒液によって消毒される。このとき消毒液は、給水タンク１０にも供給されるので、給水タンク１０の消毒も可能である。図７中、細かな点は消毒液を示している。
【００９４】
このとき、酸洗浄液ラインＬ２２の酸洗浄液が空気で置換されて酸洗浄液ラインＬ２２が空気で満たされているのが普通であるが、何らかの原因によって酸洗浄液タンクバルブＶ６に不具合が生じていて、酸洗浄液タンク３２の酸洗浄液が薬液ラインＬ２の下流側に流れようとすることが考えられる。この場合、酸洗浄液ライン検出センサＳ２が酸洗浄液ラインＬ２２の内部に空気が存在しているか否かを常に検出しているので、酸洗浄液ライン検出センサＳ２により酸洗浄液ラインＬ２２の内部に酸洗浄液が存在していることが検出される。すると、制御装置２０は、運転を即座に停止する。これにより、酸洗浄液が消毒液に混入することによる化学反応を抑制することができる。尚、酸洗浄液ライン検出センサＳ２により酸洗浄液ラインＬ２２の内部に酸洗浄液が存在していることを検出した際に、制御装置２０は光や音声を利用して周囲の者に報知するようにしてもよい。
【００９５】
次に、図８に示す主ライン酸洗浄運転モードについて説明する。この主ライン酸洗浄運転モードは、主ラインＬ１を構成する配管内に蓄積された物質（炭酸カルシウム等）を除去する目的で行うモードであり、基本的には２〜３日に１回、透析が終了した後に行う。主ライン酸洗浄運転モードの頻度は、透析施設によって異なる。
【００９６】
主ライン酸洗浄運転モードでは、制御装置２０は、遮断バルブＶ１、第１薬液ラインバルブＶ３、第２薬液ラインバルブＶ４、酸洗浄液タンクバルブＶ６は開状態にし、排水バルブＶ２、消毒液タンクバルブＶ５、給水バルブＶ７は閉状態にする。また、給水ポンプＰ１、薬液ラインポンプＰ２、脱気ポンプＰ３を作動させる。これにより、酸洗浄液タンク３２の酸洗浄液が酸洗浄液ラインＬ２２から吸い上げられて各ラインが酸洗浄液によって洗浄される。このとき酸洗浄液は、給水タンク１０にも供給されるので、給水タンク１０の洗浄も可能である。図８中、斜線部は酸洗浄液を示している。
【００９７】
このとき、消毒液ラインＬ２１の消毒液が空気で置換されて消毒液ラインＬ２１が空気で満たされているのが普通であるが、何らかの原因によって消毒液タンクバルブＶ５に不具合が生じていて、消毒液タンク３１の消毒液が薬液ラインＬ２の下流側に流れようとすることが考えられる。この場合、消毒液ライン検出センサＳ１が消毒液ラインＬ２１の内部に消毒液が存在しているか否かを常に検出しているので、消毒液ライン検出センサＳ１により消毒液ラインＬ２１の内部に空気が存在していることが検出される。すると、制御装置２０は、運転を即座に停止する。これにより、消毒液が酸洗浄液に混入することによる化学反応を抑制することができる。尚、消毒液ライン検出センサＳ１により消毒液ラインＬ２１の内部に消毒液が存在していることを検出した際に、制御装置２０は光や音声を利用して周囲の者に報知するようにしてもよい。
【００９８】
次に、図９に示す薬液ライン消毒運転モードについて説明する。この薬液ライン消毒運転モードは、薬液ラインＬ２を消毒液で消毒するモードであり、基本的には１日に１回、透析が終了した後に行う。
【００９９】
薬液ライン消毒運転モードでは、制御装置２０は、第１薬液ラインバルブＶ３、第２薬液ラインバルブＶ４、消毒液タンクバルブＶ５は開状態にし、遮断バルブＶ１、排水バルブＶ２、酸洗浄液タンクバルブＶ６、給水バルブＶ７は閉状態にする。また、給水ポンプＰ１、薬液ラインポンプＰ２、脱気ポンプＰ３を作動させる。薬液ラインポンプＰ２は逆転させる。これにより、消毒液タンク３１の消毒液が消毒液ラインＬ２１から吸い上げられて各ラインが消毒液によって消毒される。このとき消毒液は、給水タンク１０にも供給されるので、給水タンク１０の消毒も可能である。
【０１００】
このとき、何らかの原因によって酸洗浄液タンクバルブＶ６に不具合が生じていて、酸洗浄液タンク３２の酸洗浄液が薬液ラインＬ２の下流側に流れようとした場合、酸洗浄液ライン検出センサＳ２により酸洗浄液ラインＬ２２の内部に酸洗浄液が存在していることが検出される。すると、制御装置２０は、運転を即座に停止する。これにより、酸洗浄液が消毒液に混入することによる化学反応を抑制することができる。
【０１０１】
次に、図１０に示す薬液ライン酸洗浄運転モードについて説明する。この薬液ライン酸洗浄運転モードは、薬液ラインＬ２を構成する配管内に蓄積された物質（炭酸カルシウム等）を除去する目的で行うモードであり、基本的には２〜３日に１回、透析が終了した後に行う。薬液ライン酸洗浄運転モードの頻度は、透析施設によって異なる。
【０１０２】
薬液ライン酸洗浄運転モードでは、制御装置２０は、第１薬液ラインバルブＶ３、第２薬液ラインバルブＶ４、酸洗浄液タンクバルブＶ６は開状態にし、遮断バルブＶ１、排水バルブＶ２、消毒液タンクバルブＶ５、給水バルブＶ７は閉状態にする。また、給水ポンプＰ１、薬液ラインポンプＰ２、脱気ポンプＰ３を作動させる。薬液ラインポンプＰ２は逆転させる。これにより、酸洗浄液タンク３２の酸洗浄液が酸洗浄液ラインＬ２２から吸い上げられて各ラインが酸洗浄液によって洗浄される。このとき酸洗浄液は、給水タンク１０にも供給されるので、給水タンク１０の洗浄も可能である。
【０１０３】
このとき、何らかの原因によって消毒液タンクバルブＶ５に不具合が生じていて、消毒液タンク３１の消毒液が薬液ラインＬ２の下流側に流れようとした場合、消毒液ライン検出センサＳ１により消毒液ラインＬ２１の内部に消毒液が存在していることが検出される。すると、制御装置２０は、運転を即座に停止する。これにより、消毒液が酸洗浄液に混入することによる化学反応を抑制することができる。
【０１０４】
次に、図１１に示す後洗浄・排出運転モード（主ライン排出動作）について説明する。この主ライン排出動作は、上記前洗浄（水洗）運転モードと同様の動作を行った後、ＲＯ水を排出する動作である。制御装置２０は、排水バルブＶ２、第１薬液ラインバルブＶ３、第２薬液ラインバルブＶ４は開状態にし、遮断バルブＶ１、消毒液タンクバルブＶ５、酸洗浄液タンクバルブＶ６、給水バルブＶ７は閉状態にする。また、給水ポンプＰ１、薬液ラインポンプＰ２、脱気ポンプＰ３を停止する。これにより、ＲＯ水が排出される。
【０１０５】
次に、図１２に示す後洗浄・排出運転モード（薬液ライン空気置換動作）について説明する。この薬液ライン空気置換動作は、薬液ラインＬ２を空気に置換する動作である。制御装置２０は、排水バルブＶ２、第１薬液ラインバルブＶ３、第２薬液ラインバルブＶ４は開状態にし、遮断バルブＶ１、消毒液タンクバルブＶ５、酸洗浄液タンクバルブＶ６、給水バルブＶ７は閉状態にする。また、給水ポンプＰ１、脱気ポンプＰ３を停止し、薬液ラインポンプＰ２は逆転させる。これにより、薬液ラインＬ２が空気に置換される。
【０１０６】
次に、図１３に示す後洗浄・排出運転モード（タンクライン及び薬液ライン空気置換動作）について説明する。このタンク及び薬液ライン空気置換動作は、薬液ラインＬ２の消毒液ラインＬ２１、または、薬液ラインＬ２の酸洗浄液ラインＬ２２を空気に置換する動作である。
【０１０７】
制御装置２０は、薬液ラインＬ２の消毒液ラインＬ２１を空気に置換する場合には、第２薬液ラインバルブＶ４、消毒液タンクバルブＶ５は開状態にし、遮断バルブＶ１、排水バルブＶ２、第１薬液ラインバルブＶ３、酸洗浄液タンクバルブＶ６、給水バルブＶ７は閉状態にする。また、給水ポンプＰ１、脱気ポンプＰ３を停止し、薬液ラインポンプＰ２は逆転させる。これにより、薬液ラインＬ２の消毒液ラインＬ２１が空気に置換される。
【０１０８】
制御装置２０は、薬液ラインＬ２の酸洗浄液ラインＬ２２を空気に置換する場合には、第２薬液ラインバルブＶ４、酸洗浄液タンクバルブＶ６は開状態にし、遮断バルブＶ１、排水バルブＶ２、第１薬液ラインバルブＶ３、消毒液タンクバルブＶ５、給水バルブＶ７は閉状態にする。また、給水ポンプＰ１、脱気ポンプＰ３を停止し、薬液ラインポンプＰ２は逆転させる。これにより、薬液ラインＬ２の酸洗浄液ラインＬ２２が空気に置換される。
【０１０９】
また、制御装置２０は、主ライン消毒運転モード及び薬液ライン消毒運転モードで運転中に、消毒液ライン検出センサＳ１によって消毒液ラインＬ２１に空気が有ると検出された場合には消毒液タンク３１の消毒液が空になったとして報知器Ｈを制御し、消毒液切れとして報知する。すなわち、主ライン消毒運転モード及び薬液ライン消毒運転モードにあるときに消毒液が無くなった場合には、有効に消毒が行えなくなるが、この場合に報知器Ｈにより周囲の者に報知することで消毒が不完全なまま終了してしまうのを未然に防止することが可能になる。また、消毒液タンク３１に実際には消毒液が注入されずに主ライン消毒運転モード及び薬液ライン消毒運転モードが選択された場合に消毒が行われないままとなるのを未然に防止することが可能になる。
【０１１０】
また、制御装置２０は、主ライン酸洗浄運転モード及び薬液ライン酸洗浄運転モードにあるときに、酸洗浄液ライン検出センサＳ２によって酸洗浄液ラインＬ２２に空気が有ると検出された場合には酸洗浄液タンク３２の酸洗浄液が空になったとして報知器Ｈを制御し、酸洗浄液切れとして報知する。すなわち、主ライン酸洗浄運転モード及び薬液ライン酸洗浄運転モードにあるときに酸消毒液が無くなった場合には、有効に酸洗浄が行えなくなるが、この場合に周囲の者に報知することで酸洗浄が不完全なまま終了してしまうのを未然に防止することが可能になる。また、酸洗浄液タンク３２に実際には酸洗浄液が注入されずに主ライン酸洗浄運転モード及び薬液ライン酸洗浄運転モードが選択された場合に酸洗浄が行われないままとなるのを未然に防止することが可能になる。
【０１１１】
また、水タンク１０は、大気開放された状態で、消毒液ラインＬ２１と酸洗浄液ラインＬ２２と連通している。制御装置２０は、消毒液ラインＬ２１を空気に置換する際、水タンク１０が空である場合に、薬液ラインポンプＰ２によって水タンク１０内の空気を消毒液ラインＬ２１に流入させるように構成することができる。これにより、消毒液ラインＬ２１の消毒液を消毒液タンク３１まで送ることが可能になるので、消毒液と酸洗浄液との接触を未然に防止することができる。
【０１１２】
また、制御装置２０は、酸洗浄液ラインＬ２２を空気に置換する際、水タンク１０が空である場合に、薬液ラインポンプＰ２によって水タンク１０内の空気を酸洗浄液ラインＬ２２に流入させるように構成することができる。これにより、酸洗浄液ラインＬ２２の酸洗浄液を酸洗浄液タンク３２まで送ることが可能になるので、酸洗浄液と消毒液との接触を未然に防止することができる。
【０１１３】
以上説明したように、この実施形態に係る透析液供給装置１によれば、ＲＯ水とＢ原液の流れを上側混合室Ｒ１内で上下反転させて乱した後、上側混合室Ｒ１から流出させるようにしている。これにより、ミキサー等による長時間攪拌を行うことなく、短時間に均一に混合させることができる。
【０１１４】
また、本実施形態では、Ａ原液も混合器４０によって均一に混合させることができるので、均一に混合した透析液を短時間に大量に得ることができる。
【０１１５】
また、流入管４３の下端開口部４３ａから流入したＲＯ水及びＢ原液の流れが上側混合部４１の中央部に向かう流れに変換されるので、ＲＯ水及びＢ原液の混合をより一層促進させることができる。
【０１１６】
また、下側混合部４２では、ＲＯ水及びＢ原液の混合液の流れと、Ａ原液の流れが下側混合部４２の中央部から側部に向かう流れに変換されるので、それらの混合をより一層促進させることができる。
【０１１７】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【０１１８】
以上説明したように、本発明に係る混合器は、例えば、透析液を生成する透析液供給装置に使用することができる。
【符号の説明】
【０１１９】
１              透析液供給装置
１０            給水タンク
４０            混合器
４１            上側混合部（第１混合部）
４１ｂ          上壁部
４１ｃ          下壁部
４２            下側混合部（第２混合部）
４２ｂ          上壁部
４２ｃ          下壁部
４３            流入管
４３ａ          下端開口部
４４            第１流出管
４４ａ          上端開口部
４４ｂ          下端開口部
４５            Ａ原液透析液原液供給管
４６            第２流出管
４６ａ          開口部
Ｌ４１          Ａ原液ライン
Ｌ４２          Ｂ原液ライン
Ｒ１            上側混合室（第１混合室）
Ｒ２            下側混合室（第２混合室）
【図１】
2014184065.tif 000003
【図２】
2014184065.tif 000004
【図３】
2014184065.tif 000005
【図４】
2014184065.tif 000006
【図５】
2014184065.tif 000007
【図６】
2014184065.tif 000008
【図７】
2014184065.tif 000009
【図８】
2014184065.tif 000010
【図９】
2014184065.tif 000011
【図１０】
2014184065.tif 000012
【図１１】
2014184065.tif 000013
【図１２】
2014184065.tif 000014
【図１３】
2014184065.tif 000015